Podtech/llm-jp-corpus-v4-ja_patent huggingface dataset:
(57)【要約】      （修正有）【課題】ラジオ・コントロール・時計、音声、機械制御、センサー、システム制御技術を組み合わせた自動車スピード制御表示システム。【解決手段】短期間のスケジュール、日記機能、自動車のスピードメーターと多機能時計を組み合わせ、過去のデータから安全運転を呼びかける機能、使用者本人がデータをインプットし、インプットされた音声、音楽の選択、リンク等を表示する。又ドライバーが自ら簡単に作成できるようにソフトを作成することができる。【選択図】図１
0003123436.tif 000002
【実用新案登録請求の範囲】
【請求項１】
自動車のスピード制御システムの表示（ハンドル〔スピードメーター内に組み込む〕）
（制限速度：開放、加速度の制限：開放、カーブでの制限、・・・等）
【請求項２】
自分の体調、体力、健康度等（年齢、性別、性格等を含む）の因子を基にした、上記システムのＳ／Ｗ
【請求項３】
時間（朝、昼、夜等）、季節、天候等の因子を基にした、上記システムのＳ／Ｗ
【請求項４】
過去のデータのフィードバック機能を備えた、上記システムのＳ／Ｗ
（事故、違反、イエローキップ等を含む）
【請求項５】
上記スピード制御システムを使用した自動車制御装置
【考案の詳細な説明】
【技術の分野】
【０００１】ラジオ・コントロール・時計、音声、機械制御、センサー、システム制御技術を組合せる
【背景技術】
【０００２】ファクトリー・オートメーション＋センサー開発技術
【考案の開示】
【考案が解決しようとする課題】
【０００３】老化、ストレス、不安、疲れ、睡眠不足等による、不快指数（体調不良因子）の緩和、事故等に対する、本人の意識改革
【課題を解決するための手段】
【０００４】音声（音楽を含む）により、警告、注意、案内、安らぎ等を行う
上記音声と同時に、内容を簡単に表示する
上記、警告、注意、案内、安らぎ等の表示、発声は、本人が自ら作成したものである
【図１】
0003123436.tif 000003
【手続補正書】
【提出日】平成17年11月24日(2005.11.24)
【手続補正１】
【補正対象書類名】実用新案登録請求の範囲
【補正対象項目名】全文
【補正方法】変更
【補正の内容】
【実用新案登録請求の範囲】
【請求項１】
自動車のスピードメーターと多機能時計を複合機として使用する
【請求項２】
自動車のスピードメーターと多機能時計を複合機として使用する事を特徴とする請求項１記載の安全運転流スピードメーターの考案
【手続補正２】
【補正対象書類名】明細書
【補正対象項目名】全文
【補正方法】変更
【補正の内容】
【考案の詳細な説明】
【技術分野】
【０００１】ラジオコントロール・時計、音声、機械制御、センサー、システム制御技術を組合せる
【背景技術】
【０００２】センサー開発技術＋ファクトリーオートメーション
【考案の開示】
【考案が解決しようとする課題】
【０００３】老化、ストレス、不安、疲れ、睡眠不足等による、不快指数の緩和、事故等に対する、本人の意識改革
【課題を解決するための手段】
【０００４】音楽、音声による警報、注意、案内、安らぎ等を行う
上記音声と同時に、内容を簡単に表示する
上記表示はドライバーが自ら簡単に作成出来るようにソフトを作成する
【図面の簡単な説明】
【０００５】（公序良俗違反につき、不掲載）
【手続補正書】
【提出日】平成18年2月26日(2006.2.26)
【手続補正１】
【補正対象書類名】実用新案登録請求の範囲
【補正対象項目名】全文
【補正方法】変更
【補正の内容】
【実用新案登録請求の範囲】
【請求項１】
自動車のスピードメーターと多機能時計を組合せた安全運転流スピードメーター
【請求項２】
請求項１を複合機として使用する事を特徴とする安全運転流スピードメーターの考案
【手続補正２】
【補正対象書類名】明細書
【補正対象項目名】全文
【補正方法】変更
【補正の内容】
【考案の詳細な説明】
【技術分野】
【０００１】ラジオコントロール・時計、音声、機械制御、センサー、システム制御技術を組合せる
【背景技術】
【０００２】センサー開発技術＋ファクトリーオートメーション
【考案の開示】
【考案が解決しようとする課題】
【０００３】老化、ストレス、不安、疲れ、睡眠不足等による、不快指数の緩和、事故等に対する、意識改革
【課題を解決するための手段】
【０００４】音楽、音声による警報、注意、案内、安らぎ等を行う
上記音声と同時に、内容を簡単に表示する
上記表示はドライバーが自ら簡単に作成出来るようにソフトを作成する
【図面の簡単な説明】
【０００５】
【図１】［正面図］を表す  多機能時計を使用した短期間のスケジュール＋日記機能  自動車のスピードメーターと多機能時計を組合せ、過去のデータから安全運転をを呼びかける機能  使用者本人がデータをインプット  インプットされた音声、音楽の選択、リンク⇒表示、プレイ
【手続補正３】
【補正対象書類名】図面
【補正対象項目名】全図
【補正方法】変更
【補正の内容】
【図１】
0003123436.tif 000004
(57)【要約】【課題】  住所、氏名、電話番号、治療中の病名、かかりつけの病院等を記載したデータ用紙を入れた収納袋を裏面に固着した靴の中敷を提供する。【解決手段】  靴の中に装着する中敷Ａの裏面に薄い透明樹脂材からなる容器状の収納袋３を固着し、この収納袋３の中に靴の所有者の住所、氏名、年令、電話番号、現在治療中の病名、過去の病名、かかりつけの病院等を記載したデータ用紙を挿着したことを特徴とする。【選択図】  図１
0003123437.tif 000002
【実用新案登録請求の範囲】
【請求項１】
靴の中に装着する中敷の裏面に薄い透明樹脂材からなる容器状の収納袋を固着し、こも収納袋内に靴の所有者の住所、氏名、年令、電話番号、現在治療中の病名、過去の病歴、かかりつけの病院等を記載したデータ用紙を挿着しことを特徴とする靴の中敷。
【考案の詳細な説明】
【技術分野】
【０００１】  本考案は靴の所有者の住所、氏名、電話番号、現在治療中の病名、かかりつけの病院等を記載したデータ用紙を収納袋に入れ、この収納袋を中敷の裏面に固着した靴の中敷に関するものである。
【背景技術】
【０００２】  従来、靴の中敷は靴の形状、靴の大小に合わせて各種各様、数多く提供されており、又、靴の使用目的に従って材質、色彩等に様々の工夫改良が施されている。  本考案の目的、構成と同一の背景技術はなく、類似するものとして、表面にマーク、シンボル等を印刷した中敷が提供されている。（特許文献１）【特許文献１】特開２００３−１３５１０３
【考案の開示】
【考案が解決しようとする課題】
【０００３】  しかし、前記文献の中敷の構成は中敷の表面にシンボルを印刷しただけのもので、使用中に印刷した文字、標示等のデータが薄れたり消えたりする恐れがあった。  薄れたり消えたりしたデータを修復する必要が生じた場合、中敷を取り替えなければならなかった。  本考案は、住所、氏名、電話番号、治療中の病名、かかりつけの病院等を記載したデータ用紙を挿着した透明の樹脂製の収納袋を、踵寄りの裏面に固着した靴の中敷を提供することを目的とする。
【課題を解決するための手段】
【０００４】  上記目的を達成するため本考案は、靴の中に装着する中敷Ａの裏面に薄い透明樹脂材からなる容器状の収納袋３を固着し、この収納袋３内に靴の所有者の住所、氏名、年令、電話番号、現在治療中の病名、過去の病歴、かかりつけの病院等を記載したデータ用紙５を装着したものである。
【考案の効果】
【０００５】  上記のように構成された本考案には次のようの効果がある。ａ．靴を履いた状態（外出中）で突然発作で倒れた場合、靴を脱がし中敷を取り出して裏面の収納袋を見れば、倒れた人のデータが読み取れるので、即座に適切な処置を取ることができる。ｂ．幼児等の靴の中に本考案の中敷を装着しておくと、迷子になった場合、直ぐに保護者を探し出すことができる。ｃ．データ用紙は容易に取り出すことができるので、データを書き替える必要が生じた場合、新しい記録をしたデータ用紙と交換するだけで簡単に書き替えることができる。ｄ．収納袋は透明なＰＵ、ＰＰ等の素材を利用しているので安価に提供でき、中敷の裏面に接着する場合、接着剤による接着も可能であるが高周波熱融着によって行なうことのよって短時間に確実に固着され、製造コストも低いので中敷そのものも安価に大量に提供できる。
【考案を実施するための最良の形態】
【０００６】  以下、本考案の実施の形態を図面に基づいて説明する。【０００７】  図１ａは本考案の裏面図で１ｂは表面図、図２は図１におけるＩＩ−ＩＩ断面図、図３は収納袋の斜視図、図４は収納袋にデータ用紙を装着する状態を示した図、図５はデータ用紙の記載の一例を示した図で、図中の符号Ａは中敷を示し、中敷は特定のものではなく、従来提供されている中敷である。【０００８】  １は中敷の裏面で、この中敷の裏面１にデータ用紙５を装着した収納袋３を取り付けるのであるが、収納袋３は図面に示したように踵に近い位置に固定することが望ましい。  踵に近い位置は靴を履いた際、体重が平均してかかり、靴内で湿気の最も少ない範囲で、データ用紙が損傷する恐れの少ない部位であり、中敷Ａを全部取り出さなくてもデータを読み取ることができる位置である。【０００９】  ２は中敷Ａの表面で、通常はブランド名が印刷されているが、本考案のデータ用紙入りの収納袋３が裏面１に設けられている旨を表示しておくと、外出中急病等の緊急事態発生の際、直ちに対応できる。【００１０】  ３は透明な合成樹脂製の薄いシートからなる角型状の収納袋で、図１に示したように中敷からはみ出さない形状に形成されていて、縦長の一方が開口された容器状になっているが、特に角型に限定されるものではない。  収納袋３を中敷Ａに取り付ける場合は、収納袋３の背面に接着剤を介して全面接着固定するか、挿入口４を３辺を高周波熱融着の手段で固定する。【００１１】  ４は縦長の収納袋３の一方に設けられた挿入口で、靴の所有者の住所、氏名、年令、電話番号、病名、病歴、かかりつけの病院等を記載したデータ用紙５をここから挿入するようになっている。【００１２】  データ用紙５は自己の現在の状態を記入するものであるが、一例として図５に示したように、外出中に急に発病したり、交通事故に遭った場合、第三者が直ちに救急車の手配、家族への連絡ができるよう配慮した記載をしておくことが望ましい。【００１３】  上記のように構成された本考案を実際に使用する場合は次のようになる。  中敷Ａを靴の中に装着する場合は収納袋３が靴底に接するように裏面１を下にして挿入する。  尚、収納袋３は、図においては挿入口４を爪先方向にして取り付けられているが挿入口４を踵方向にして取り付けることも可能で、このように取り付けると、中敷Ａ全体を取り出さなくても踵部分を摘み上げるだけでデータを読み取ることができる。
【図面の簡単な説明】
【００１４】
【図１】（ａ）  本考案の裏面図  、（ｂ）本考案の表面図
【図２】図１におけるＩＩ−ＩＩ断面図
【図３】収納袋の斜視図
【図４】データ用紙を装着する状態を示した図
【図５】データ用紙の記載の一例を示した図
【００１５】１  裏面２  表面３  収納袋４  挿入口５  データ用紙Ａ  中敷
【図１】
0003123437.tif 000003
【図２】
0003123437.tif 000004
【図３】
0003123437.tif 000005
【図４】
0003123437.tif 000006
【図５】
0003123437.tif 000007
(57)【要約】      （修正有）【課題】切り取った衣服の穴の回りにはさみ込んで取り付け出来るようにしたアップリケの提供。【解決手段】ズボン上着スカート等の衣服に穴をあけ、穴のあいた表地１と穴のあいた裏地２を重ねて、穴の回り４を縫い付けてアップリケとする。切り取った衣服５の穴の部分３にアップリケの１と２の回りの間にはさみ込んで、取り付け出来るようにした。【選択図】図４
0003123440.tif 000002
【実用新案登録請求の範囲】
【請求項１】
模様をつけた穴（３）のあいた表地（１）と穴（３）のあいた裏地（２）を重ねて穴の回り（４）を縫い合わせる。衣服（５）の切り取った穴（３）まわりに表地（１）と裏地（２）の間にはさみこんで取り付け出来るようにした穴のあいたアップリケ
【考案の詳細な説明】
【考案の詳細な説明】
【０００１】［考案の属する技術分野］この考案は衣服に穴をあけて、穴の部分に穴のあいたアップリケの表地とアップリケの裏地との間に、衣服をはさみこんで、接着して取り付けしたものである。
【０００２】［従来の技術］従来衣服等に穴をあけて、穴の回りを縫い付けたり、模様を付けたりする事が誰にでも簡単に出来なかった。たまにジーンズ等のズボンで見かけても、破いて透き間をあけているだけのものであった。又、アップリケとしてはあったが、衣服の表側に貼るだけで穴のあいたものがなかった。
【０００３】［考案が解決しょうとする課題］この考案はアップリケの穴の大きさに、衣服の好きな位置に穴をあけ誰にでも簡単に取り付け出来るようにした、穴のあいたアップリケである。
【０００４】［課題を解決する手段］今これを図面に付いて説明すれば、穴のあいた模様付きのアップリケ表地（１）と穴のあいた裏地（２）を重ねて、図（３）のように穴の回り（４）を縫い合わせる。穴の型紙（６）の大きさに衣服等に穴をあけ、縫い合わせた穴のあいたアップリケを表地（１）と裏地（２）との間に、切り取った衣服（５）の穴の回り（３）にはさみ込んで取り付けする穴のあいたアップリケ
【０００５】［考案の実施の形態］以上の構成であるから、衣服の好きな部分の位置に型紙で穴の大きさを切り取り切り取った部分に、穴のあいたアップリケをはさみ込んで接着して固定する。はさみ込んで固定してあるので、切り取った穴の部分の布がほつれてこない。又、図（６）のように穴の大きさにより、穴の部分に網を取り付ければ穴の形がくずれない。
【考案の効果】
【０００６】本考案は以上の構成であるから、虫に食われたり破れた部分を切り取って穴をあけて取り付けすれば有効利用出来る。穴の部分より風等が入るので、身体が蒸れなくなる。又、アップリケとして作ってあるので、穴の形、模様など簡単に何でも作れる。女の方など取り付ける位置により、おしゃれであり、穴から素肌が見えるので色っぽく見える。
【図面の簡単な説明】
【図１】穴のあいたアップリケ表地（１）平面図
【図２】穴のあいたアップリケ裏地（２）平面図
【図３】穴の回りを縫い合わせた断面図
【図４】穴のあいたアップリケを切り取った衣服に取り付けた断面図
【図５】衣服に穴をあける大きさの型紙
【図６】アップリケの穴の位置に網を取り付けた平面図
【図７】菱形の形の穴のあいたアップリケ
【図８】ズボンに穴のあいたアップリケを取り付けした平面図
【符号の説明】
１・表地  ２・裏地  ３・穴部分  ４・縫い合わせた部分  ５・切り取った衣服  ６・型紙  ７・網
【図１】
0003123440.tif 000003
【図２】
0003123440.tif 000004
【図３】
0003123440.tif 000005
【図４】
0003123440.tif 000006
【図５】
0003123440.tif 000007
【図６】
0003123440.tif 000008
【図７】
0003123440.tif 000009
【図８】
0003123440.tif 000010
【手続補正書】
【提出日】平成18年3月2日(2006.3.2)
【手続補正１】
【補正対象書類名】実用新案登録請求の範囲
【補正対象項目名】全文
【補正方法】変更
【補正の内容】
【実用新案登録請求の範囲】
【請求項１】
誰でもが衣服の一部を切り取って取り付けられるようにした穴のあいたアップリケ。
(57)【要約】      （修正有）【課題】保管場所に困る牛乳パックや発泡スチロールを、洗ってすぐに水を切り簡単に場所を取らず回収できるようにした壁掛け式回収具の提供。【解決手段】壁掛けや冷蔵庫などに取り付けが可能な磁石内臓の板に、ねじ込み式で取り外し自由な棒を牛乳パック等をかたどるように差し込み、水受けをとりつける【選択図】図１
0003123431.tif 000002
【実用新案登録請求の範囲】
【請求項１】
壁・冷蔵庫などにリサイクル用に切り開いた牛乳パックや、発泡スチロールを棒で固定し集める壁掛け式回収具
【考案の詳細な説明】
【技術分野】
【０００１】本考案はねじ穴を沢山開けた板に展開した牛乳パック等をかたどるように（刺し抜き可能な）棒をねじ刺し、そこに牛乳パック等を一枚一枚立てて重ねて差し込むことで、バラバラすることなく場所を取らない回収を可能にした。【０００２】水受けをつけることで洗ってすぐ回収できるようにした。【０００３】発泡スチロールは順々に棒に刺して固定することができる。
［背景技術］【０００４】従来、牛乳パックや発泡スチロールなどのリサイクル品はその都度処分するのが面倒なため、たまってからスーパーなどに持っていっていたが、置き場所がなく嵩張って邪魔だった。
［考案が解決しようとする課題］【０００５】開いた牛乳パックや、発泡スチロールの置き場所にも困らず、しずくも気にせず気軽に回収することができるようにする。
［考案の効果］牛乳パックや発泡スチロールを保管場所に困ることなく洗って直ぐに水を切り、まとめておくことができる。
【図面の簡単な説明】
【０００６】［図１］回収具に、開いた牛乳パックをはめ込み正面から見た図である。
［図２］回収具を横から見た図である。
［図３］先端に取り付けた球状のゴムを取りはずした図である。
［図４］回収具［図１］の棒を差し替え発泡スチロールを固定した図である。
【符号の説明】
【０００７】１  回収具本体
２  壁掛け用金具
３  磁石（裏面）
４  先端が球状になった棒
５  展開した牛乳パック
６  水受け
７  発泡スチロール
【図１】
0003123431.tif 000003
【図２】
0003123431.tif 000004
【図３】
0003123431.tif 000005
【図４】
0003123431.tif 000006
【手続補正書】
【提出日】平成17年8月17日(2005.8.17)
【手続補正１】
【補正対象書類名】実用新案登録請求の範囲
【補正対象項目名】全文
【補正方法】変更
【補正の内容】
【実用新案登録請求の範囲】
【請求項１】
リサイクル用に切り開いた牛乳パックや発泡スチロールを場所を取らず回収する目的で磁石を内蔵した板にあけているねじ穴に先がねじ状になった棒を牛乳パックなどをかたどって差し込み固定する構造と水受けを合わせ持つ壁掛け
(57)【要約】【課題】乱視を矯正する効果があり、焦点絞り効果がもっと良くなり、且つ実際の使用時には視界の死角をなくすこと。【解決手段】眼鏡枠には二つの不透光性ガラスが対称に設けてあり、眼鏡の両側には後方へ伸びたフレームがそれぞれ設けてあり、前記不透光性ガラスには円錐形状貫通孔が多数に開設してあり、前記円錐形状貫通孔は、その直径は前記不透光性ガラスの外面から内面へ拡径し、且つその傾斜角度はガラスの中央から周縁へ徐々に大きくなる。【選択図】図２
0003123418.tif 000002
【実用新案登録請求の範囲】
【請求項１】
主に、眼鏡枠には二つの不透光性ガラスが対称に設けてあり、眼鏡の両側には後方へ伸びたフレームがそれぞれ設けてあり、
前記不透光性ガラスには円錐形状貫通孔が多数に開設してあり、
前記円錐形状貫通孔は、その直径は前記不透光性ガラスの外面から内面へ拡径し、且つその傾斜角度は不透光性ガラスの中央から周縁へ徐々に大きくなることを特徴とする、
乱視矯正用眼鏡の構造。
【考案の詳細な説明】
【技術分野】
【０００１】
本考案は、乱視矯正用眼鏡の構造に係り、特に、着用すると、乱視を矯正する効果があり、焦点絞り効果がもっと良くなる乱視矯正用眼鏡の構造に関するものである。
【背景技術】
【０００２】
乱視は、眼球の屈折が不正常になったことを言い、主に、眼球の屈折系統（角膜および水晶体）の屈折面が正球形でスムーズな表面ではないので、遠い処から来る水平な光線が網膜で焦点を絞ることができないことを言う。
【０００３】
一般に、乱視の矯正は乱視矯正用眼鏡を着用することであり、その眼鏡は、図９に示すように、不透光性ガラス２には貫通孔２１が多数に開設してあり、前記貫通孔２１の断面形状は、円形でもいいし、六角形でもよく、これにより、前記不透光性ガラス２の各貫通孔２１に通じて物体を見る際には、光線がユーザーの網膜で焦点を絞ることができ、乱視を矯正する効果を達成できる。
【考案の開示】
【考案が解決しようとする課題】
【０００４】
しかしながら、従来の乱視矯正用眼鏡によれば、その不透光性ガラスに開設された貫通孔の両端の直径が同様であり、なお、顔面の曲線に合うために不透光性ガラスが円弧面にされたので、不透光性ガラスの周縁に開設された貫通孔に通じて物体を見る際に視線が貫通孔に止められ、だから、焦点を絞る効果は良くなく、実際の使用には視界の死角が存在する欠点があった。
【課題を解決するための手段】
【０００５】
上記欠点を解決するためになされた本願の考案は、主に、眼鏡枠には二つの不透光性ガラスが対称に設けてあり、眼鏡の両側には後方へ伸びたフレームがそれぞれ設けてあり、前記不透光性ガラスには円錐形状貫通孔が多数に開設してあり、前記円錐形状貫通孔は、その直径は前記不透光性ガラスの外面から内面へ拡径し、且つその傾斜角度は不透光性ガラスの中央から周縁へ徐々に大きくなることを特徴とする乱視矯正用眼鏡の構造であることを要旨としている。
【考案の効果】
【０００６】
本考案に係る乱視矯正用眼鏡によれば、乱視を矯正する効果があり、焦点絞り効果がもっと良くなり、且つ実際の使用には視界の死角が存在しなくなる。
【考案を実施するための最良の形態】
【０００７】
以下、添付図面を参照して本考案の好適な実施の形態を詳細に説明する。
【０００８】
まず、図１乃至図３を参照する。本考案に係る乱視矯正用眼鏡１の構造は、主に、眼鏡枠１１には二つの不透光性ガラス１２が対称に設けてあり、眼鏡１の両側には後方へ伸びたフレーム１３がそれぞれ設けてある。
前記不透光性ガラス１２には円錐形状貫通孔１２１が多数に開設してあり、前記円錐形状貫通孔１２１は、その直径は前記不透光性ガラス１２の外面から内面へ拡径し、また、図４乃至図７に示すように、前記不透光性ガラス１２に開設された各円錐形状貫通孔１２１は、前記不透光性ガラス１２の中心点から周縁に放射するように排列され、そして前記不透光性ガラス１２の周縁に近接するほど円錐形状貫通孔１２１の周縁に近接する周面の傾斜角度が大きく、これにより、人体の眼球の焦点を絞る視角に合うことができる。
【０００９】
そうすると、図８に示すように、ユーザーが前記乱視矯正用眼鏡１を着用して乱視を矯正すると、前記不透光性ガラス１２に開設された各円錐形状貫通孔１２１に通じて各種の物体を見る際に、ユーザーの眼球の視野角度が中心点から周縁へ移動するときに、各円錐形状貫通孔１２１の周面の傾斜角度の変化により乱視が矯正され、ユーザーは焦点を快速に絞ることができるようになり、且つ視界の死角はなくなる。
【図面の簡単な説明】
【００１０】
【図１】本考案の外観斜視図である。
【図２】本考案の上面断面図である。
【図３】本考案の側面断面図である。
【図４】本考案の一部の上面断面拡大図１である。
【図５】本考案の一部の上面断面拡大図２である。
【図６】本考案の一部の側面断面拡大図１である。
【図７】本考案の一部の側面断面拡大図２である。
【図８】本考案の使用状態を示す概略図である。
【図９】従来のものの断面図である。
【符号の説明】
【００１１】
１        眼鏡                      １１      眼鏡枠
１２      不透光性ガラス            １２１    円錐形状貫通孔
１３      フレーム                  ２        不透光性ガラス
２１      貫通孔
【図１】
0003123418.tif 000003
【図２】
0003123418.tif 000004
【図３】
0003123418.tif 000005
【図４】
0003123418.tif 000006
【図５】
0003123418.tif 000007
【図６】
0003123418.tif 000008
【図７】
0003123418.tif 000009
【図８】
0003123418.tif 000010
【図９】
0003123418.tif 000011
(57)【要約】      （修正有）【課題】確実に汚れを除去できる風呂釜洗浄器具を提供する。【解決手段】洗浄ノズルと塩化ビニールホースを結合させ、水道圧を利用して風呂釜内部の汚れを取るために、ノズル内部を入水口より排水口を狭くし、先端に角度を付け水道圧を増幅させたことを特徴とする、風呂釜洗浄器具。【選択図】図４
0003123488.tif 000002
【実用新案登録請求の範囲】
【請求項１】
洗浄ノズルと塩化ビニールホースを結合させ、水道圧を利用して風呂釜内部の汚れを取るために、ノズル内部を入水口より排水口を狭くし、先端に角度を付け水道圧を増幅させたことを特徴とする、風呂釜洗浄器具。
【考案の詳細な説明】
【技術分野】
【０００１】本考案は家庭用風呂釜及の洗浄を目的とした、家庭用風呂釜洗浄器具である。
【背景技術】
【０００２】従来、家庭用風呂釜の洗浄は、薬品（過炭酸ナトリウム）風圧、水道圧を利用することが一般的である。
【考案が解決しようとする課題】
【０００３】従来商品は薬品（過炭酸ナトリウム）が一般的であるが、皮膚が荒れるなどの問題を有していた。
【０００４】また、水道圧を利用する効果的方法があるが、現状の風呂釜に適応してないことも問題である。
【０００５】本考案は従来技術の問題を克服し、洗浄ノズル先端を工夫した風呂釜洗浄器具である。
【課題を克服するための手段】
【０００６】現状の家庭用風呂釜は（給水、熱湯出口）初期配管が９０度に曲がっている。
【０００７】本考案は、現状に対応するために洗浄ノズル先端を４５度に折り曲げることにより問題を克服する。
【０００８】また、洗浄ノズル内部の構造を、入水口を１１ｍ／ｍ排水口を６ｍ／ｍにして、水道圧の威力を高める構造にしてあります。
【０００９】洗浄ノズルの材質は、真鍮、アルミニウム、合成樹脂、プラスチックなどが望ましい。
【００１０】本考案の実施形態例を図面参照して説明する。
【００１１】（図１）、（図２）、（図３）で書いてあるように、３つの部品を組み合わせるだけで簡単に洗浄が可能になる。
【００１２】また（図８）で書いてあるように、熱湯出口に洗浄ノズルを差し込み強力水流が初期配管に入り、給水口から湯泥が出る仕組みになっています。
【００１３】（図１）に書いてあるように、洗浄ノズル給水口経１１ｍ／ｍとし、排水口経６ｍ／ｍとしたことにより、強力水流を生み出す仕組みになってます。
【考案の効果】
【００１４】本考案を利用することによって、確実に湯泥を落とすことが可能になってます。
【００１５】薬品を使わないので、手荒れの心配がなくなります。
【００１６】本考案を利用することによって、風呂釜の湯泥を簡単に落とすことが出来ます。
【００１７】
【特許文献１】［１１］特許公開［４３］１９９５年５月１２日［１１］特開平０７−１２０１９４［４３］１９９６年１０月１１日［１１］特開平０８−２６１６９２［４３］２００１年１月９日［１１］特開２００１−００３０８５
【００１８】上記［００１７］に述べてある案件との違いは、思考、形状において違いがあると思われる。
【図面の簡単な説明】
【図１】本考案に係る、洗浄ノズル姿図。
【図２】本考案に係る、結合バンド。
【図３】本考案に係る、塩ビホース。
【図４】本考案に係る、洗浄ノズル、ホース、蛇口の結合図。
【図５】本考案に係る、家庭用風呂釜浴槽の断面図。
【図６】本考案に係る、家庭用風呂釜浴槽の平面図。
【図７】本考案に係る、家庭用風呂釜の詳細図。
【図８】本考案に係る、家庭用風呂釜の洗浄状況図。
【符合の説明】
１，  洗浄ノズル
２，  結合バンド
３，  塩ビホース
４，  蛇口
５，  家庭用風呂釜
６，  浴槽
７，  熱湯出口
８，  給水口
９，  初期配管入口
１０，排水口
【図１】
0003123488.tif 000003
【図２】
0003123488.tif 000004
【図３】
0003123488.tif 000005
【図４】
0003123488.tif 000006
【図５】
0003123488.tif 000007
【図６】
0003123488.tif 000008
【図７】
0003123488.tif 000009
【図８】
0003123488.tif 000010
(57)【要約】      （修正有）【課題】調理場は、煩雑しているので、調理用具の整理整頓が難しい。【解決手段】フライパンや鍋などの蓋に、調理用具を通す為の切り口を設ける。【選択図】図１
0003123484.tif 000002
【実用新案登録請求の範囲】
【請求項１】
フライパンや鍋などの蓋に切り口を設け、調理用具を入れたままでも蓋ができることを特徴とする、フライパンや鍋の蓋
【考案の詳細な説明】
【技術分野】
【０００１】  本考案は、フライパンや鍋の蓋に関するものである。
【背景技術】
【０００２】  調理用具の「おたま」は、おたま置きなどで整理できる。
【考案の開示】
【考案が解決しようとする課題】
【０００３】  調理場は、煩雑することが一般的であり、おたま置きを置く場所がないことが多い。
【課題を解決するための手段】
【０００４】  フライパンや鍋などの蓋に、調理用具を通す為の切り口を設ける。
【考案の効果】
【０００５】  フライパンや鍋などの中に、調理用具を入れたままにできるので、調理場が煩雑していても調理用具の整理整頓が確実にできる。
【考案を実施する為の最良の形態】
【０００６】  フライパンや鍋の蓋に設ける切り口は、調理用具が２〜３本通せるくらいの大きさが望ましい。
【図面の簡単な説明】
【０００７】
【図１】平面図
【符号の説明】
１  蓋本体
２  蓋の取っ手
３  切り口
【図１】
0003123484.tif 000003
(57)【要約】      （修正有）【課題】車椅子を利用して筆記や食事などが出来るようにした車椅子用固定テーブルの提供。【解決手段】各部品を取り付けた本体側板左（１）からなる固定具を車椅子の肘掛け部左に固定鞍前左（３）と固定鞍先左（５）を被せ、固定鞍前左（３）をロックレバー左（７）で廻して肘掛け下部をロックする。各部品を取り付けた本体側板右（２）からなる固定具を車椅子の肘掛け部右に固定鞍前右（４）と固定鞍先右（６）を被せ、固定鞍前右（４）をロックレバー右（８）で廻して肘掛け下部をロックする。これにより受けピン前左（９）と受けピン先左（１１）受けピン前右（１０）と受けピン先右（１２）でテーブルを受ける準備が出来、このピンにテーブル（１３）の受け穴（１４）を入れてセットして使用する。【選択図】図１
0003123490.tif 000002
【実用新案登録請求の範囲】
【請求項１】
左右の側板に固定鞍と受けピンを立て、前の固定鞍にロックレバーを備えたことからなる車椅子用固定テーブル。
【考案の詳細な説明】
【考案の詳細な説明】
【考案の技術分野】
【０００１】この考案は車椅子を利用して筆記や食事などが出来るようにした車椅子用固定テーブルである。
【背景技術】
【０００２】車椅子で簡単に使えるテーブルがまだ少ないためその必要性の声が聞かれる。
【考案が解決しようとする課題】
【０００３】今までの車椅子用テーブルは固定されない部分があり不安定で使用が難しかった。
【課題を解決するための手段】
【０００４】車椅子の左右の肘掛けを利用して重心を後ろに置き固定する。
【考案実施の形態】
【０００５】本体側板左（１）の手前に固定鞍前左（３）を取り付け本体側板右（２）の手前に固定鞍前右（４）を取り付ける。
本体側板左（１）の中間に固定鞍先左（５）を取り付け、本体側板右（２）の中間に固定鞍先右（６）を取り付ける。
本体側板左（１）に固定鞍前左（３）をロックするロックレバー左（７）を取り付け、本体側板右（２）に固定鞍前右（４）をロックするロックレバー右（８）を取り付ける。
固定鞍先左（５）の上に受けピン前左（９）を立て固定鞍先右（６）の上に受けピン前右（１０）を立てる。
本体側板左（１）の先端上に受けピン先左（１１）を立てる。
本体側板右（２）の先端上に受けピン先右（１２）を立てる。
【実施例】
【０００６】各部品を取り付けた本体側板左（１）からなる固定具を車椅子の肘掛け部左に固定鞍前左（３）と固定鞍先左（５）を被せ、固定鞍前左（３）をロックレバー左（７）で廻して肘掛け下部をロックする。
各部品を取り付けた本体側板右（２）からなる固定具を車椅子の肘掛け部右に固定鞍前右（４）と固定鞍先右（６）を被せ、固定鞍前右（４）をロックレバー右（８）で廻して肘掛け下部をロックする。
これにより受けピン前左（９）と受けピン先左（１１）受けピン前右（１０）と受けピン先右（１２）でテーブルを受ける準備が出来、このピンにテーブル（１３）の受け穴（１４）を入れてセットして使用する。
【考案の効果】
【０００７】本考案は左右の固定具で肘掛け部を利用して固定でき、又各受けピンでテーブルを取り付け取り外しできるため使用が簡単で効果的である。
【図面の簡単な説明】
【図１】本考案の透視斜面図
【図２】本考案の使用状態図
【符号の説明】
１，  本体側板左                      ８，  ロックレバー右
２，  本体側板右                      ９，  受けピン前左
３，  固定鞍前左                      １０，受けピン前右
４，  固定鞍前右                      １１，受けピン先左
５，  固定鞍先左                      １２，受けピン先右
６，  固定鞍先右                      １３，テーブル
７，  ロックレバー左                  １４，受け穴
【図１】
0003123490.tif 000003
【図２】
0003123490.tif 000004
(57)【要約】【課題】  靴やブーツ、長靴などを、手や何かに引っ掛けなくても素早く簡単に脱がす。【解決手段】  靴べらの先に踵を固定できるくぼみを作り、そこに、弾性部材をつけて踵を固定して、素早く簡単に足を脱ぐことが可能になる。【選択図】図１
0003123486.tif 000002
【実用新案登録請求の範囲】
【請求項１】
靴やブーツ、長靴などの踵を固定する形を有し、踵固定面に弾性部材などを使用することを特徴とする靴べら。
【考案の詳細な説明】
【０００１】  本考案は靴やブーツ、長靴などを脱ぐ時に用いる靴べらに関する。
【背景技術】
【０００２】  従来、靴べらは靴やブーツを履く時に多く使用されていて、脱ぐ場合にはあまり使用されない。【０００３】
【特許文献１】特開２００６−５６６号広報
【考案の開示】
【考案が解決しようとする課題】
【０００４】  上述の如く、従来の靴べらでは、靴やブーツ、長靴などを脱がす機能は十分ではなく、楽に素早く脱がすのは難しい。【０００５】  このため、靴やブーツ、長靴などを脱ぐ時に、両手を使ったり、何かに踵を引っ掛けたりしているのが現状である。【０００６】  本考案は、このような苦労をなくすために、靴べらに改良を加えて、簡単に素早く、靴やブーツ、長靴などを脱がすことができるようにすることにある。
【課題を解決するための手段】
【０００７】  上述の目的を達成する考案の靴べらは、弾性部材を使用して、靴やブーツ、長靴などの踵部分を固定するために靴べらを改良させたものが特徴とする。【０００８】  前記靴べらには、靴べらの先端を、靴やブーツ、長靴などの踵部分を固定できる形状にし、踵と靴べらの接着面に弾性部材取り付ける。
【考案の効果】
【０００９】  以上説明したように本考案は、靴やブーツ、長靴などを脱ぐさいに靴べらで踵を固定して、脱ぐ時の時間や手間をなくすことが可能となる。
【考案を実施するための最良の形態】
【００１０】  以下、本考案の実施の形態を図面に基づき詳細に説明する。【００１１】  図２のように、図１の３の持ち手部分を持って、靴やブーツ、長靴などの踵部分に２をはめ込み踵を固定する、そのさい、図１の弾性部材の摩擦力によって、踵がこていされる。
【実施例】
【００１２】  踵が固定された状態で足を上げると、踵を何かに引っ掛けたり、手で固定されたように楽に靴やブーツ、長靴などを脱ぐことができる。【００１３】  以上、本考案の実施の形態及び実施例を説明したが、本考案の範囲はこれに限定されるものではない。図１の１弾性部材の長さや摩擦面、踵を固定する面積を、減らし、二点や三点で固定して、いろいろなデザインを加えることも可能である。【００１４】  さらに、弾性部材をより柔らかくして、靴やブーツ、長靴などだけではなく女性用ロングブーツなどに広く用いることが可能である。
【産業上の利用可能性】
【００１５】  本考案は、靴やブーツ、長靴などを製造販売する産業分野で利用することができる。
【図面の簡単な説明】
【００１６】
【図１】本考案の実施形態の外観斜視図である。
【図２】図１を使用したときの外観視図である。
【符号の説明】
【００１７】１  弾性部材２  靴やブーツ、長靴などの踵を固定する部分３  持ち手４  靴やブーツ、長靴など
【図１】
0003123486.tif 000003
【図２】
0003123486.tif 000004
(57)【要約】      （修正有）【課題】  エッセンシャルオイルの香りをプリザ−ブドフラワ−等の長期保存可能な花に付着浸透させたことによって、長期間花の状態と香りを持続可能にした香料付装飾体を提供する。【解決手段】長期保存可能なプリザ−ブドフラワ−等の花６に、長期間花の状態と香りを持続可能にするため付着装置を介し、天然の香料を含むエッセンシャルオイルの香料２を付着浸透させたことを特徴とする。【選択図】図２
0003123483.tif 000002
【実用新案登録請求の範囲】
【請求項１】
長期保存可能なプリザ−ブドフラワ−等の花に、長期間花の状態と香りを持続可能にするため付着装置を介し、天然の香料を含むエッセンシャルオイルの香料を付着浸透させたことを特徴とする香料付き装飾体。
【考案の詳細な説明】
【技術分野】
【０００１】  本考案は天然香料を含むエッセンシャルオイルの香りを付着装置を介してプリザ−ブドフラワー等の長期保存可能な花に付着浸透させたことによって、長期間花の状態と芳香を持続可能にした香料付き装飾体に関するものである。
【背景技術】
【０００２】  従来、草花等を出来るだけ長く自然の状態で保存しようとする試みは可なり以前から行なわれており、これらの草花に香料を付着させ、セレモニ−、パ−テ−や外出する際、衣服等に取り付けることは習慣的に行なわれていた。
又、保存加工によって生花のような状態を保持しながら花弁の落下を防ぐように構成した装飾品も提供されている。
【特許文献】  特開２００１−３４７７９５号公報
【特許文献】  実願２００４−７９４９号公報
【考案の開示】
【考案が解決しようとする課題】
【０００３】  しかし、上述の装飾品は、これら装飾品の表面に直接香料を付着させたものであるため、香りの有効期間が短い上に香料の種類や量によって装飾体が変色する欠点があり、長期間着用することは出来なかった。
近時、揮発性が高く香りの拡がりやすいエッセンシャルオイルを利用したアロマテラピ−が家庭でも手軽に出来るようになり、香りを楽しむと同時に心身をリラックスさせ住環境の改善に役立てている。
本考案は天然香料を含むエッセンシャルオイルの香りを付着装置を介し、プリザ−ブドフラワ−等の長期保存可能な花全体に付着浸透させた香料付き装飾体を提供することを目的とする。
【課題を解決するための手段】
【０００４】  上記目的を達成するため本考案は天然の香料を含むエッセンシャルオイル６の香料２を、密封可能な容器５の底部に貯留材（アルミナボ−ル）３を敷設し、その上にハンドペ−パ−４を覆設した付着装置Ａを介し，プリザ−ブドフラワ−等の長期保存可能な花１に付着浸透させたことによって長期間花の香りと状態を持続可能にした花を構成したものである。
【考案の効果】
【０００５】  上記のように構成された本考案には次にような効果がある。
ａ．香りは直接花に付着させたものではなく付着装置（密封容器）内の底部にエッセンシャルオイルに浸漬した貯留材（アルミナボ−ル）を敷設し、この貯留材の上方にハンドペ−パ−を介在させ、その上にプリザーブドフラワ−等の花を数日間載置しておくと前記エッセンシャルオイルの香りが花に付着浸透し、この花を取り出し身辺又は室内装飾に使用すると長期間に亘って香りの効果が持続する。
ｂ．プリザ−ブドフラワ−は長期間変質変色しないので、香りが無くなったり薄くなった場合、付着装置の中に数日間入れておけば、香りは付着浸透して元の放香状態を続けるようになる。
ｃ．香りは特定のものに限らず、付着装置内のエッセンシャルオイルに各種の香りを採用することによってプリザ−ブドフラワ−の花に適合した香りを選択できる。
ｄ．複数の花や植物の香りをブレンドすることによって周囲の環境、雰囲気にふさわしい香りを選択できる。
ｅ．各セレモニ−に適応した香りを選択することによって、セレモニ−の終了後も香りが周辺や身辺に残漂するのでセレモニ−の雰囲気を追憶することが出来る。
【考案を実施するための最良の形態】
【０００６】  以下、考案の実施の形態を図面に基づいて説明する。
図１は本考案の香料付き装飾体の一例を示す側面図、図２は図１におけるＩＩ−ＩＩ断面図、図３は本考案の香料の付着浸透状態を示した図で、図中の符号Ａは付着装置を示す。【０００７】    １は図３に示したように、付着装置Ａの底部に敷設された貯留材（アルミナボ−ル）が浸漬状態程度になるよう投入された天然香料を含む揮発性の高いエッセンシャルオイルで、貯留材３を介在させることによってエッセンシャルオイルに含まれる香料が効率的に貯留されて密閉状の付着装置Ａ内に揮発状に充満するので、香りは花６に確実に付着浸透する。
この花を取り出して使用すると花は優れたアロマセラピ−効果を発揮する。【０００８】  ２はエッセンシャルオイル１から揮発する香料で、花に付着浸透させる場合は図３に示したようにハンドペ−パ−４を透過し、密封状の装置内で行なわれるので香り物質２のみが確実に付着浸透した花が完成する。
香料はセレモニ−や会場の雰囲気に適合した花、香料を選択し、付着装置Ａで付着浸透させる。【０００９】  貯留材（アルミナボ−ル）３は前述のように、エッセンシャルオイル１に含まれている香料２を貯留させておくもので、貯留された香料２はハンドペ−パ−４を透過して花に付着浸透する。（図３に参照）【００１０】  ハンドペ−パー４はエッセンシャルオイル１が直接花６に付着しないように設けたものであると同時にエッセンシャルオイルから揮発する香料のみを透過させて花に付着浸透させる効果がある。【００１１】  ５は容器で、特定のものではないが、内容物や内部の状態を確認する都合上、透明なガラスの容器が望ましく、蓋５ａも透明なガラスであって密封可能な構造のものが望ましい。【００１２】  花６はバラ、桜、椿、菊等の生の花に保存加工を施した花で、特定のものではなく所謂プリザ−ブドフラワ−で、セレモニ−に適応した花を選択する。
又、花６は用途にしたがって種類を選択したり、形状構造を変えなければならず例えば、胸や頭、帽子等に取り付ける場合は、一輪の花にクリップ等の取付具を設け、活ける場合は葉、茎を花瓶等の花器に合わせ、雰囲気に合った花を選択する。【００１３】  上記のような工程で香料が付着浸透された香料付装飾体は、冠婚葬祭等の儀式から入学、卒業等その他の記念行事に参加する際に利用されるもので、その利用範囲は更に拡大する傾向にある。
本考案の香料付き装飾体を実際に使用する場合は、花の茎の部分に金属線又は安全ピン等を取り付け、これらを利用して髪又は衣服等に取り付ける。
【図面の簡単な説明】
【００１４】
【図１】  本考案の一例を示す側面図
【図２】  図１におけるＩＩ−ＩＩ断面図
【図３】  本考案の香料の付着浸透状態を示した図
【符号の説明】
【００１５】  １  エッセンシャルオイル
２  香料
３  アルミナボ−ル
４  ハンドペ−パ−
５  容器
５ａ  蓋
６  花
Ａ  付着装置
【図１】
0003123483.tif 000003
【図２】
0003123483.tif 000004
【図３】
0003123483.tif 000005
(57)【要約】 【課題】 一般的な、布団を乗せて使う構造のベッドは、その上に敷かれた布団を干すという作業が頻繁に行われているにもかかわらず、ベッド側には干すための補助的機構が設けられていない。また設けられていたとしても部屋の陽当たりが悪い場合、用を成さない場合が見受けられた。 【解決手段】 すのこ状のベッド床板を蝶番を用いて折り畳み式にし、そのベッド床板２枚を山なりに固定したとき接地する位置にキャスターを取りつける。その山なりに固定されたベッド床板に布団を掛け、陽当たり・風通しのいい位置まで移動し、そのままの状態で干せるものとする【選択図】 図３
0003123477.tif 000002
【実用新案登録請求の範囲】
【請求項１】
ベッドの床板を蝶番を用いて折り畳み式にし、２枚を山なりに固定したときに接地する位置にキャスターをつけることによって、上に布団を載せたまま、陽の当たる向き、もしくは陽が当たる部屋までベッド床板を転がして移動し、布団を干せる機構。
【考案の詳細な説明】
【技術分野】
【０００１】
本考案はベッドの床板に関する。
【背景技術】
【０００２】
【特許文献１】特開2005-052616 すのこベッド
【考案の開示】
【考案が解決しようとする課題】
【０００３】
一般的なベッドはその上で布団を干せるような機構になっておらず、またなっていたとしても部屋の陽当たりや風通しが十分でない場合、十分な効果を得ない場合が見受けられた。 
【課題を解決するための手段】
【０００４】
すのこ状のベッド床板を蝶番を用いて折り畳み式にし、２枚を山なりに固定したベッド床板の端に４つのキャスターをつけることによって、上に布団を乗せたまま陽が当たる場所までベッド床板を転がして移動し、布団を干せる機構。 
【考案の効果】
【０００５】
陽当たりの悪い場所にベッドが配置されていた場合、重い布団を持ち上げたまま住居内の狭い廊下等を移動しなくても、ベッド床板にキャスターをつけることによって、布団を乗せたまま転がして、陽当たりのいい場所まで布団を持って行き干すことができる。
【考案を実施するための最良の形態】
【０００６】
すのこ状のベッド床板を２分割にし、両端を蝶番で止め（図３-a）、折り畳めるような構造にする。（図１、図２）  手かき部分（図３-d）を持ちながらベッド床板を山なりの状態にし、上から荷重を掛けてもベッド床板が広がらないよう、片方のベッド床板の裏側の桟に繋がれた固定棒（図４-b）をもう片方の桟に打ち込んだボルト（図4-c）に引っ掛けてロックする。ベッド床板両端の蝶番で連結されていないほうにキャスター（図３-e）を取付け、床に置いたときに転がせられるようにする。
【実施例】
【０００７】
図３ 
【図面の簡単な説明】
【０００８】
【図１】本考案のベッド床板をベッドに敷いた状態を示した斜視図である。
【図２】本考案のベッド床板をベッドの上で折り畳む様子を示した斜視図である。
【図３】本考案のベッド床板を折り畳んで固定した状態とキャスターの位置を示した斜視図である。
【図４】本考案のベッド床板の裏面の固定棒と桟を連結する方法を示した図である。
【符号の説明】
【０００９】
図3-a  蝶番取付け位置
図3-b、図4-b    固定棒
図4-c  ボルト
図3-d  手かけ
図3-e、キャスター
【図１】
0003123477.tif 000003
【図２】
0003123477.tif 000004
【図３】
0003123477.tif 000005
【図４】
0003123477.tif 000006
【手続補正書】
【提出日】平成18年4月13日(2006.4.13)
【手続補正１】
【補正対象書類名】実用新案登録請求の範囲
【補正対象項目名】請求項１
【補正方法】変更
【補正の内容】
【請求項１】
蝶番を用いて折り畳み式にし、２枚を山なりに固定したときに接地する位置にキャスターをつけることによって上に布団を載せたまま、陽の当たる向き、もしくは陽が当たる部屋まで転がして移動し、布団を干せるベッドの床板。
(57)【要約】【課題】本考案は一度使用されたインクジェットカートリッジをインク注入により再度使用するために従来穴を開ける等の加工を必要があり、補充したインクが目詰まりにより出ない等の問題を解決するための考案である。【解決手段】空気の通り道を塞ぎ、負圧をかけることによりインクタンク内を真空状態にしてインクを補充することにより、カートリッジを加工せず補充することが出来、インク出口からの注入によりインクの目詰まりの発生をなくす。【選択図】図２
0003123471.tif 000002
【実用新案登録請求の範囲】
【請求項１】
使用済みカートリッジにインクを充填する際、減圧した後に圧を戻すことによりインクをカートリッジに充填される。
充填する際の穴を開けるなどの加工を必要としない負圧を利用した充填方法。
【請求項２】
インクジェットカートリッジにおいてインクタンクインクが入る形状になっている事を特徴とするインクジェットカートリッジ。
【考案の詳細な説明】
【技術分野】
【０００１】一度使用されたインクジェットカートリッジにインクを補充するための充填方法の考案。
インク排出口からの充填で、気泡が入らない充填方法の考案。
【技術背景】
【０００２】従来のインク排出口からの充填では気泡が一緒に入ってしまう場合があり、作業者又は機械によって品質差が発生する。
気泡が入るとインクが排出口から出ない場合が発生する。
【０００３】気泡が入らず、且つインクを排出口から充填する方法が必要となる。
【考案の開示】
【考案が解決しようとする課題】
【０００４】従来のインク注入口からのインク補充又は、インクタンク側からの補充ではインク出口の目詰まりなどによりインクが出ない問題が発生する場合がある。
又、排出口からの充填でも気泡が入るとインクが出てこない場合がある。
【課題を解決するための手段】
【０００５】減圧をかける容器内にインクを満たし、使用済みカートリッジを投入する。
減圧を行い、空気を容器から抜く。
再度圧を戻すとインクがカートリッジ内に充填される。
インク出口部分からのインク充填によりカートリッジ本体に加工を必要とせず且つインク出口からのインク充填により目詰まり等の問題点も解決できる。
カートリッジ内に気泡も発生しないため、インクが出なくなる現象も回避できる。
【考案の効果】
【０００６】この方法により極力手間をかけずに作業出来、且つ品質を保つことが出来る。
又、インク出口の目詰まりの発生を回避し、気泡によるインクが出ない問題も防ぎ正常に印刷できるようにする充填方法である。
【考案を実施するための最良の形態】
【０００７】減圧容器に減圧ポンプをつなぎ、容器内にインクを満たす。
使用済みカートリッジを容器に投入し減圧するとカートリッジ内の空気が減圧される。
圧を正常値に戻す際に容器に満たされたインクがカートリッジ内に浸透する。
【実用例】
【０００８】以下、添付図面に従って本考案の一実例を説明する。
まず全体図の図１は減圧する容器のの全体図である。
図２はカートリッジを投入した状態図である。
【０００９】図１の▲１▼はインクを満たし減圧する容器である。
図２の▲２▼はインクを充填するカートリッジ。
図２の▲３▼は減圧する際のポンプにつなぐチューブである。
図２の▲４▼は圧を元に戻す際に空気を通す口である。
図２の▲５▼はインクを充填させる部分である。
【００１０】その他、本考案を実施するための最良の構成、形態、方法などは、以上の記載で開示されているが、本考案はこれに限定されるものではない。
すなわち、以上の記載は、主に特定の実施例に関して図示され、かつ説明されているが、本考案の技術的思想および目的の範囲から逸脱することなく、以上述べた実施例に対し、材質、形状、数量、その他の構成において、当業者が様々な変形を加えることができる。
【００１１】従って、以上に開示した材質、形状、数量などを限定した記載は、本考案の理解を容易にするために例示的に記載したものであり、本考案を限定するものではない。そのため、それらの材質、形状、数量などの一部もしくは全部の限定を外した記載は、本考案の技術的範囲に含まれる。
【産業上の利用可能性】
【００１２】インクカートリッジを加工せずインクが充填できるため作業性が向上する。
又、従来の充填方法で発生する問題点が回避できる。
【図面の簡単な説明】
【００１３】
【図１】インク減圧充填容器の全体図
【図２】インクとカートリッジを投入したインク減圧充填容器の全体図
【符号の説明】
【００１４】▲１▼はインクを満たし減圧する容器である。
▲２▼はインクを充填するカートリッジ。
▲３▼は減圧する際のポンプにつなぐチューブである。
▲４▼は圧を元に戻す際に空気を通す口である。
▲５▼はインクを充填させる部分である。
【図１】
0003123471.tif 000003
【図２】
0003123471.tif 000004
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
インク再充填装置であって使用済みカートリッジを投入する容器と、前記容器を減圧するチューブと、前記容器を加圧するチューブとを有することを特徴とするインク再充填装置。